(57)【要約】【課題】ダニの捕捉性が良好で、かつ容易に製造することができる防ダニシートを提供する。【解決手段】防ダニシート１０は、２枚のシート部材１４の周囲を固着することにより中空状に形成された袋体１２を含む。袋体１２の内面には、粘着剤層１６ｂが形成される。さらに、粘着剤層１６ｂの内側には、ダニ誘引剤を含むダニ誘引シート１８および多孔質シート２８が配置される。シート部材１４は天然繊維を含む不織布で形成された外側シート層１４ａと合成樹脂繊維を含む不織布で形成された内側シート層１４ｂとを含む２層構造を有する。シート部材１４の周囲において、内側シート層１４ｂ同士が熱溶着によって固着されることにより、袋体１２が形成される。【選択図】図２
2015202062.tif 000002
【特許請求の範囲】
【請求項１】
２枚のシート部材の周囲を固着することにより中空状に形成された袋体、
前記袋体の内面に形成される粘着剤層、および
前記粘着剤層の内側に配置されるダニ誘引剤を含み、
前記シート部材は天然繊維を含む不織布で形成された外側シート層と合成樹脂繊維を含む不織布で形成された内側シート層とを含む２層構造を有し、
前記シート部材の周囲において前記内側シート層同士が熱溶着によって固着された、防ダニシート。
【請求項２】
前記シート部材の前記外側シート層は綿繊維とセルロース繊維とで形成された不織布であり、前記内側シート層はポリプロピレン繊維とセルロース繊維とで形成された不織布である、請求項１に記載の防ダニシート。
【請求項３】
前記シート部材の前記内側シート層の表面が粗く形成された、請求項１または請求項２に記載の防ダニシート。
【請求項４】
前記ダニ誘引剤は、徐々に外部にダニ誘引物質を放出するマイクロカプセルに充填されたものである、請求項１ないし請求項３のいずれかに記載の防ダニシート。
【発明の詳細な説明】
【技術分野】
【０００１】
この発明は、防ダニシートに関し、特にたとえば、ダニを捕捉することができる防ダニシートに関する。
【背景技術】
【０００２】
図５は、従来の防ダニシートの一例を示す図解図である。防ダニシート１は、２つの外シート層２と、これらの外シート層２の間に挟まれた誘引層３とを含む。外シート層２は、ダニが入り込めるような孔が多数形成された不織布などで形成される。また、誘引層３は、例えば、不織布に粘着剤とダニ誘引剤とを塗布したものである。誘引層３の両側の外シート層２は、誘引層３を包むようにしてその周囲を固着することにより、袋状に形成される。
【０００３】
防ダニシート１を使用する際には、多孔質の外シート層２を介してダニ誘引剤成分が空気中に放出され、ダニが寄せ集められる。小さい孔に入り込む性質を有するダニは、外シート層２の孔に入り込み、誘引層３に達する。誘引層３には粘着剤が塗布されているため、ダニは誘引層３に捉えられ、防ダニシート１から逃げることができなくなる。したがって、一定期間防ダニシート１を設置した後、防ダニシート１を処分することにより、ダニを駆除することができる（特許文献１参照）。
【先行技術文献】
【特許文献】
【０００４】
【特許文献１】特開２００２−２５３１０３号公報
【発明の概要】
【発明が解決しようとする課題】
【０００５】
このような従来の防ダニシート１では、誘引層３を包み込むようにして、誘引層３の両側の外シート層２の周囲が固着されるが、不織布として天然素材が用いられている場合、縫製などにより２つの外シート層２を固着させる必要がある。この場合、外シート層２の固着のためのコストが高くなってしまう。また、外シート層２の材料として合成樹脂繊維を用いることにより、熱溶着により２つの外シート層２の固着を行うことができる。しかしながら、合成樹脂繊維を用いた不織布には、ダニが入り込みにくく、ダニを効果的に捉えるには天然素材繊維を用いた不織布を用いることが好ましい。このように、ダニの捕捉性から考えると天然素材繊維を用いた不織布を外シート層２として用いることが好ましく、防ダニシート１の製造の面から考えると合成樹脂繊維を用いた不織布を外シート層として用いることが好ましい。
【０００６】
それゆえに、この発明の主たる目的は、ダニの捕捉性が良好で、かつ容易に製造することができる防ダニシートを提供することである。
【課題を解決するための手段】
【０００７】
この発明は、２枚のシート部材の周囲を固着することにより中空状に形成された袋体と、袋体の内面に形成される粘着剤層と、粘着剤層の内側に配置されるダニ誘引剤とを含み、シート部材は天然繊維を含む不織布で形成された外側シート層と合成樹脂繊維を含む不織布で形成された内側シート層とを含む２層構造を有し、シート部材の周囲において内側シート層同士が熱溶着によって固着された、防ダニシートである。
袋体を構成するシート部材の外側シート層が天然繊維を含む不織布で形成されることにより、放出されたダニ誘引剤成分によって集まってきたダニが袋体内に入り込みやすくなる。袋体内に入り込んだダニは、袋体の内面に形成された粘着剤層に捉えられる。また、シート部材の内側シート層が合成樹脂繊維を含む不織布で形成されることにより、内側シート層同士を熱溶着によって固着させることができる。したがって、ダニの捕捉性と製造の容易性の両方を合わせ持つ防ダニシートを得ることができる。
【０００８】
このような防ダニシートにおいて、シート部材の外側シート層は綿繊維とセルロース繊維とで形成された不織布であり、内側シート層はポリプロピレン繊維とセルロース繊維とで形成された不織布であることが好ましい。
シート部材の外側シート層として、綿繊維を用いることにより、ダニがシート部材内に入り込みやすくなる。ここで、綿繊維にセルロース繊維を混ぜることにより、綿繊維のみを用いた場合に比べて材料コストを下げることができる。また、シート部材の内側シート層としてポリプロピレン繊維を用いることにより、内側シート層同士の熱溶着が可能となる。ここで、ポリプロピレン繊維にセルロース繊維を混ぜることにより、シートの肌触りがよくなり、内側シート層の表面に形成された粘着剤層に向かってダニが進みやすくなる。
【０００９】
また、シート部材の内側シート層の表面が粗く形成されていることが好ましい。
シート部材の内側シート層の表面を粗くすることにより、シート部材の内側において、粘着剤層の粘着剤で内側シート層の表面の空洞部が埋め尽くされることが防止され、この空洞部にダニを誘い込んで粘着剤層で捉えることができる。
【００１０】
さらに、ダニ誘引剤は、徐々に外部にダニ誘引物質を放出するマイクロカプセルに充填されたものであることが好ましい。
ダニを誘引するダニ誘引剤はマイクロカプセル中に充填されることができ、マイクロカプセルからダニ誘引物質を放出することによって、不織布で形成された袋体の外側にダニ誘引物質を放出することができる。
【発明の効果】
【００１１】
この発明によれば、ダニ誘引物質によって誘引されたダニが袋体のシート部材中に入り込みやすく、しかも熱溶着によって２つのシート部材の周囲を固着することができる防ダニシートを得ることができる。
【００１２】
この発明の上述の目的、その他の目的、特徴および利点は、図面を参照して行う以下の発明を実施するための形態の説明から一層明らかとなろう。
【図面の簡単な説明】
【００１３】
【図１】この発明の防ダニシートの一例を示す斜視図である。
【図２】図１に示す防ダニシートの分解斜視図である。
【図３】シート部材の内側層の内面と粘着剤層との関係を示す図解図である。
【図４】ダニ誘引剤を充填したマイクロカプセルとその周辺部を示す図解図である。
【図５】従来の防ダニシートの一例を示す図解図である。
【発明を実施するための形態】
【００１４】
図１は、この発明の防ダニシートの一例を示す斜視図である。防ダニシート１０は、平面視略長方形で、その角部が円弧状に形成された袋体１２を含む。袋体１２は、図２に示すように、２つのシート部材１４を含み、その周囲部分を固着した接合部１２ａによって中空の袋状に形成される。袋体１２の大きさは、例えば、１９０ｍｍ×１３０ｍｍになるように形成され、接合部１２ａは、例えば1０ｍｍの幅で袋体１２の周囲部分を固着するように形成される。
【００１５】
それぞれのシート部材１４は、異なる材料で形成された不織布を重ねた２層構造に形成される。袋体１２の外側となる外側シート層１４ａは、天然繊維を含む不織布で形成される。天然繊維としては、例えば綿繊維を用いることが好ましい。なお、綿繊維のみで不織布を作製すると高コストとなるため、低コストで不織布を作製するために、例えばテンセル（登録商標）などのセルロース繊維を混ぜたものを使用してもよい。不織布は多孔質のシートであり、小さい孔に入り込む性質を有するダニを引き入れやすいものであるが、合成樹脂繊維を用いた不織布に比べて、綿繊維などの天然繊維を用いた不織布のほうが、ダニを引き入れやすい。
【００１６】
袋体１２の内側となる内側シート層１４ｂは、合成樹脂繊維を含む不織布で形成される。合成樹脂繊維としては、例えばポリプロピレンを用いることが好ましい。なお、合成樹脂繊維のみで不織布を作製すると、肌触りがよくないため、ダニが内側シート層１２ｂ側に入り込みにくくなる可能性がある。そこで、例えばテンセル（登録商標）などのセルロース繊維を混ぜた不織布とすることにより、不織布の肌触りをよくして、ダニが入り込みやすくすることができる。なお、内側シート層１４ｂの材料として合成樹脂繊維を用いることにより、２つのシート部材１４の周囲部分において、内側シート層１４ｂ同士を合わせて熱溶着することができる。
【００１７】
シート部材１４は、例えば、スパンレース法により作製される。そのために、例えば、綿繊維とセルロース繊維とを水に混濁させ、漉き上げることにより、シート状の第１のウェブが形成される。また、ポリプロピレン繊維とセルロース繊維とを水に混濁させ、漉き上げることにより、シート状の第２のウェブが形成される。そして、第１のウェブと第２のウェブとを重ね合わせ、高圧水流によって各ウェブ中の繊維を交絡させることにより、シート部材１４が作製される。このとき、第１のウェブ中では綿繊維とセルロース繊維とが交絡し、第２のウェブ中ではポリプロピレン繊維とセルロース繊維とが交絡し、第１のウェブと第２のウェブの接合部分では綿繊維とポリプロピレン繊維とセルロース繊維とが交絡する。このようにして、一方面側に綿繊維とセルロース繊維とで形成された外側シート層１４ａが存在し、他方面側にポリプロピレン繊維とセルロース繊維とで形成された内側シート層１４ｂが存在する一体化されたシート部材１４が得られる。なお、スパンレース法による高圧水流で繊維を交絡させることにより、内側シート層１４ｂの表面を粗くすることができる。ここで用いられるシート部材１４としては、例えば、１ｍ2当たり９０ｇのものが使用される。また、ダニが入り込みやすいシート部材１４の孔径として、例えば、０．１〜１ｍｍの孔、好ましくは、０．５ｍｍ以上の細孔を有するシート部材１４を用いることが好ましい。
【００１８】
２つのシート部材１４は、図２に示すように、内側シート層１４ｂが対向するように配置される。各シート部材１４の内側シート層１４ｂの表面には、例えば１００ｍｍ×６０ｍｍの大きさの長方形状の粘着シート１６が貼り付けられる。粘着シート１６は、例えば紙製のシート１６ａの一方主面に粘着剤層１６ｂが形成されたものである。粘着剤層１６ｂとして用いられる粘着剤は人間にとって無害なものであり、例えばチューイガム用食品基材として認められているポリブテンと改質剤との混合物が用いられる。それぞれのシート部材１４の内側シート層１４ｂの表面には、その長手方向に並んで、２つの粘着シート１６が貼り付けられる。２つの粘着シート１６は、互いに間隔を隔てて、幅方向の端部が対向するように配置される。
【００１９】
シート部材１４の内側シート層１４ｂ上に粘着シート１６を貼り付けることによって、内側シート層１４ｂの表面に粘着剤層１６ｂが配置される。ここで、内側シート層１４ｂの表面を粗く形成しておくことにより、図３に示すように、内側シート層１４ｂの繊維の突出する外側部分に粘着剤層１６ｂが付着し、粘着剤層１６ｂ上に多数の空間が形成される。したがって、粘着剤層１６ｂ上の空間に侵入したダニを粘着剤層１６ｂによって捉えることができる。図２では、片方のシート部材１４に２枚の粘着シート１６が貼り付けられているが、これは、２枚の粘着シート１６の間から後述のダニ誘引物質を放出するためである。
【００２０】
粘着シート１６が貼り付けられた２つのシート部材１４の間には、ダニ誘引シート１８が配置される。ダニ誘引シート１８は、図４に示すように、濾過紙として用いられているヒートロン紙で形成された紙パック２０を含む。ここで用いられるヒートロン紙は、例えば、木材パルプと麻パルプとポリプロピレン繊維と紙力剤とで形成されたものである。紙パック２０の大きさは、例えば、１６０ｍｍ×６５ｍｍの大きさに形成され、その周囲部部が６〜１０ｍｍの幅で熱溶着されたものである。紙パック２０内には、薬剤シート２２が封入されている。薬剤シート２２は、パルプを綿状に加工した綿状パルプ板２４を含み、２つの綿状パルプ板２４の間にマイクロカプセル２６が挟み込まれる。綿状パルプ板２４の大きさは、例えば、１０５ｍｍ×３５ｍｍの大きさとなるように形成される。
【００２１】
マイクロカプセル２６は、例えば非晶質シリカなどで形成された多孔質のものであり、マイクロカプセル２６内には、ダニ誘引剤が封入される。ダニ誘引剤は、例えばグレープフルーツなどのフルーツを酵素処理したものであり、ダニが好む香りを放出するものである。
【００２２】
さらに、ダニ誘引シート１８の一方側には、多孔質シート２８が配置される。多孔質シート２８は、例えばポリプロピレンとポリエステルとを用いて、１３０ｍｍ×８０ｍｍの大きさの多孔質の板状に形成されたシートである。なお、多孔質シート２８の角部分は円弧状に形成されている。ただし、この多孔質シート２８は、必ずしも配置されなければならないというものではない。
【００２３】
これらの粘着シート１６、ダニ誘引シート１８および多孔質シート２８を内包するようにして、２つのシート部材１４の周囲部分が熱溶着され、接合部１２ａが形成される。このとき、熱溶着のための熱がダニ誘引剤の働きに影響を与えない程度に、溶着部分と薬剤シート２２とが離れている必要がある。熱溶着は、例えば、ヒーターを使用した熱板を溶着部分に押し付ける熱板溶着により行われるが、超音波溶着などの他の溶着方法を用いてもよい。他の２つのシート部材１４を熱溶着することができるのは、ポリプロピレン繊維を含む内側シート層１４ｂ同士が対向して配置されていることによる。このように、熱溶着により接合部１２ｂを形成することができるため、縫製によって袋体１２を形成する場合に比べて、低コストで防ダニシート１０を製造することができる。
【００２４】
防ダニシート１０の製造は、粘着シート１６、ダニ誘引シート１８および多孔質シート２８を２つのシート部材１４の間に配置した後、これらの内蔵物の周囲において２つのシート部材１４を熱溶着することにより行われる。このとき、個別の防ダニシート１０について、１つずつ熱溶着を行ってもよいし、大きいシート部材１４間に複数の内蔵物を並べて配置した後、それらの内蔵物の周囲を囲むように縦横に熱溶着を行い、溶着部を切断することにより個別の防ダニシート１０を製造してもよい。
【００２５】
このようにして得られた防ダニシート１０は、例えば布団の下などのダニが繁殖しやすい場所に設置される。ここで、袋体１２の表面側には、綿繊維とセルロース繊維とで形成された不織布を用いた外側シート層１４ａが配置されているため、周囲の水分が外側シート層に吸収されやすい。そのため、不織布で形成された袋体１２の孔の内部は、湿度の高い状態となる。
【００２６】
防ダニシート１０内のダニ誘引剤からは、マイクロカプセル２６、綿状パルプ板２４、シート部材１４を介して、ダニ誘引物質が放出される。このダニ誘引物質に誘われて、ダニが防ダニシート１０に近寄ってくる。ダニは、光が届かず、湿度の高い隙間に入り込む性質を有するため、袋体１２に含まれる細かい孔に入り込む。このとき、ダニは天然素材を好むため、綿繊維とセルロース繊維とで形成された不織布を用いた外側シート層１４ａに入り込みやすい。
【００２７】
シート部材１４に含まれる孔に入り込んだダニは、内側シート層１４ｂの内面に配置された粘着剤層１６ｂに捉えられる。また、粘着剤層１６ｂがない部分を通り抜けたダニは、多孔質の紙パック２０や多孔質シート２８に入り込む。これらの部分は、ダニ誘引物質の濃度が高い部分であるため、粘着剤層１６ｂがない部分から外部に逃げ出す可能性は小さいものと考えられる。
【００２８】
したがって、一定期間、所定の位置に防ダニシート１０を設置しておくことにより、防ダニシート１０内に多数のダニが捕捉される。そこで、一定期間設置しておいた防ダニシート１０を処分することにより、ダニの駆除を行うことができる。
【００２９】
このように、この発明によれば、ダニの捕捉性が高く、製造の容易な防ダニシート１０を得ることができる。
【００３０】
なお、上述の例では、各部の寸法等を具体的に記載したが、防ダニシート１０の使用場所や使用方法などによって、これらの寸法や比率などを変更してもよい。
【符号の説明】
【００３１】
１０    防ダニシート
１２    袋体
１４    シート部材
１４ａ  外側シート層
１４ｂ  内側シート層
１６    粘着シート
１６ａ  シート
１６ｂ  粘着剤層
１８    ダニ誘引シート
２０    紙パック
２２    薬剤シート
２４    綿状パルプ
２６    マイクロカプセル
２８    多孔質シート
【図１】
2015202062.tif 000003
【図２】
2015202062.tif 000004
【図３】
2015202062.tif 000005
【図４】
2015202062.tif 000006
【図５】
2015202062.tif 000007